(57)【要約】【課題】フェースプレートが一般用呼び登録装置のフェースプレートと、車椅子用呼び登録装置のフェースプレートとを兼ねるものにあって、エレベータ乗場壁に対してフェースプレートを強固に固定することができるエレベータ呼び登録装置の提供。【解決手段】エレベータの乗場４に埋設され、一般用呼び登録装置５の要部が収納される第１ケース５ｅと、この第１ケース５ｅに取付けられ、一般用呼び登録装置５の呼び登録釦１５ｂ，１５ｃを含むフェースプレート１５ａとを備え、このフェースプレート１５ａが車椅子用呼び登録装置１６のフェースプレートを兼ねて車椅子用呼び登録装置１６の呼び登録釦１６ｂ，１６ｃ、及び要部を含み、第１ケース５ｅの表面に、フェースプレート１５ａとほぼ同じ長さに設定され、剛性を有する第２ケース７を取付けビス１５ｄで取付け、この第２ケース７にフェースプレート１５ａを取付けビス９で取付けた構成。【選択図】図２
2005075629.tif 000002
【特許請求の範囲】
【請求項１】
エレベータ乗場壁に埋設され、一般用呼び登録装置の要部が収納されるケースと、このケースに取付けられ、上記一般用呼び登録装置の呼び登録釦を含むフェースプレートとを備え、このフェースプレートが車椅子用呼び登録装置のフェースプレートを兼ねるとともに、上記車椅子用呼び登録装置の呼び登録釦、及び要部を含むエレベータ呼び登録装置において、
上記ケースの表面に、上記ケースの長さよりも長く設定され、剛性を有する支持部材を取り付け、この支持部材に上記フェースプレートを固定したことを特徴とするエレベータ呼び登録装置。
【請求項２】
上記請求項１記載の発明において、
上記支持部材の長さを上記フェースプレートとほぼ同じ長さに設定したことを特徴とするエレベータ呼び登録装置。
【請求項３】
上記請求項１または２記載の発明において、
上記支持部材がケースから成り、このケース内に上記車椅子呼び登録装置の呼び登録釦、及び要部を収納させたことを特徴とするエレベータ呼び登録装置。
【請求項４】
上記請求項３記載の発明において、
上記支持部材を形成するケースを、上記一般用呼び登録装置のケースに対し、締結手段を介して着脱可能に取り付けたことを特徴とするエレベータ呼び登録装置。
【請求項５】
上記請求項３記載の発明において、
上記フェースプレートの上記乗場壁側に位置する部分に起立部を形成し、このフェースプレートの上記起立部を上記支持部材を形成するケースに嵌着させ、上記フェースプレートと上記支持部材を形成するケースとを、締結手段を介して固定したことを特徴とするエレベータ呼び登録装置。
【発明の詳細な説明】
【技術分野】
【０００１】
本発明は、エレベータ乗場壁に備えられ、一般用呼び登録装置と車椅子用呼び登録装置とを含むエレベータ呼び登録装置に関する。
【背景技術】
【０００２】
図３，４は従来の車椅子兼用エレベータの呼び登録装置の説明図で、図３はエレベータの乗場正面図、図４は図３のＡ−Ａ線に沿う断面図である。
【０００３】
図３において、１は乗場、２は乗場ドア、３は三方枠、４は乗場壁、５は一般用呼び登録装置、６は車椅子用呼び登録装置である。図４に示すように、一般用呼び登録装置５は、かご位置表示器５ｇ、呼び登録釦５ｂ，５ｃを有するフェースプレート５ａを、乗場壁４の上部に埋設された第１ケース５ｅに取付けボルト５ｄで取付けるようにして配置してある。その配線ケーブル５ｆ，５ｈは、第１ケース５ｅに明けられた配線穴から図示しない昇降路内に引き出されている。
【０００４】
車椅子用呼び登録装置６も、一般用呼び登録装置５とほぼ同様に構成されている。すなわち、第２ケース６ｅと、呼び登録釦６ｂ，６ｃを有するフェースプレート６ａとを有し、フェースプレート６ａは取付けボルト６ｄで第２ケース６ｅに取付けられ、配線ケーブル６ｆは第２ケース６ｅに明けられた配線穴から図示しない昇降路内に引き出されている。
【０００５】
このような図３，４に示される従来技術は、車椅子用呼び登録装置６を取付けるための煩雑な乗場壁４の穴明け作業が必要となる。エレベータが高階床となる場合は、この穴明け作業の作業量が多大のものとなる。
【０００６】
このようなことから、次に述べる別の従来技術が提案されている。この従来技術は、上述した図３，４に示す従来技術と同様に、エレベータ乗場壁に埋設され、一般用呼び登録装置の要部が収納されるケースと、このケースに取付けられ、一般用呼び登録釦を含むフェースプレートとを備えているが、このフェースプレートが上述のケースよりも長く設定され、車椅子用呼び登録装置のフェースプレートを兼ねた構成にしてある。すなわち、フェースプレートには、車椅子用呼び登録装置の呼び登録釦と、要部が含まれる構成になっている。なお、フェースプレートは、取付けボルトで一般用呼び登録装置のケースと、乗場壁とに取付けられている（例えば、特許文献１参照。）。
【特許文献１】特開平７−２５５５４号公報（段落番号０００２，００１８−００２２、及び図１，２，１０）
【発明の開示】
【発明が解決しようとする課題】
【０００７】
上述した別の従来技術は、一般用呼び登録装置のフェースプレートに車椅子用呼び登録装置を含ませた構成にしてあるので、車椅子用呼び登録装置の設置のための乗場壁の穴明け作業が不要になる利点がある。しかしながら、フェースプレートは、乗場壁に取付けボルトで固定されていることから、不安定な固定を形成している。このため、フェースプレートの端部に加えられた外力によってフェースプレートが乗場壁から剥がれ、破損する虞があった。
【０００８】
本発明は、上記した従来技術における実状を鑑みてなされたもので、その目的は、フェースプレートが一般用呼び登録装置のフェースプレートと、車いす用呼び登録装置のフェースプレートとを兼ねるものにあって、エレベータ乗場壁に対してフェースプレートを強固に固定することができるエレベータ呼び登録装置を提供することにある。
【課題を解決するための手段】
【０００９】
上記目的を達成するために本発明は、エレベータ乗場壁に埋設され、一般用呼び登録装置の要部が収納されるケースと、このケースに取付けられ、上記一般用呼び登録装置の呼び登録釦を含むフェースプレートとを備え、このフェースプレートが上記車椅子用呼び登録装置のフェースプレートを兼ねるとともに、車椅子用呼び登録装置の呼び登録釦、及び要部を含むエレベータ呼び登録装置において、上記ケースの表面に、上記ケースの長さよりも長く設定され、剛性を有する支持部材を取り付け、この支持部材に上記フェースプレートを固定したことを特徴としている。
【００１０】
このように構成した本発明は、フェースプレートが一般用呼び登録装置のケースよりも長い支持部材に取付けられ、この支持部材が一般用呼び登録装置のケースに取り付けられ、しかも上述のケースはエレベータ乗場壁に埋設されて安定して固定保持されるので、エレベータ乗場壁に対してフェースプレートを強固に固定することができる。
【００１１】
また本発明は、上述の支持部材の長さをフェースプレートとほぼ同じ長さに設定したり、上述の支持部材をケースによって構成し、このケース内に車椅子呼び登録装置の呼び登録釦、及び要部を収納させてもよく、この支持部材を形成するケースを、一般用呼び登録装置のケースに対し、締結手段を介して着脱可能に取り付けた構成にしてもよい。
【００１２】
また本発明は、フェースプレートの乗場壁側に位置する部分に起立部を形成し、このフェースプレートの上記起立部を支持部材を形成するケースに嵌着させ、フェースプレートと支持部材を形成するケースを、締結手段を介して固定した構成にしてもよい。
【発明の効果】
【００１３】
本発明は、フェースプレートを、一般用呼び登録装置のケースよりも長い剛性を有する支持部材で支持させるようにしたことから、フェースプレートが一般用呼び登録装置のフェースプレートと、車椅子用呼び登録装置のフェースプレートとを兼ねるものにあって、エレベータ乗場壁に対してフェースプレートを強固に固定することができ、したがって、このフェースプレートの外力による乗場壁からの剥がれを防止でき、これに伴うフェースプレートの破損を防ぐことができ、従来に比べて優れた耐久性を確保できる。
【発明を実施するための最良の形態】
【００１４】
以下、本発明のエレベータ呼び登録装置を実施するための最良の実施の形態を図に基づいて説明する。
【００１５】
図１，２は本発明の一実施形態の説明図で、図１は正面図、図２は側断面図である。これらの図１，２中、４は乗場壁、５ｅは乗場壁４に埋設され、一般用呼び登録装置５の要部、例えば配線ケーブル５ｆ，５ｈ等が収納される第１ケース、１５ａは一般用呼び登録装置５のフェースプレート、７は第１ケース５ｅよりも長く設定、例えば第１ケース５ｅよりも長いフェースプレート１５ａとほぼ同じ長さに設定され、剛性を有し、フェースプレート１５ａが固定される支持部材、例えば第２ケース７である。５ｇはフェースプレート１５ａに取付けられたかご位置表示器、１５ｂ，１５ｃはフェースプレート１５ａに取付けられた一般用呼び登録装置５の呼び登録釦である。１６ｂ，１６ｃもフェースプレート１５ａに取付けられた車椅子用呼び登録装置１６の呼び登録釦、８は第２ケース７を乗場壁４に取付ける締結手段、例えば取付けビスである。第２ケース７は、第１ケース５ｅに締結手段、例えば取付けビス１５ｄで取付けてある。
【００１６】
フェースプレート１５ａは、その端部に乗場壁４側に向って起立する起立部１５ｅを有し、この起立部１５ｅを介して第２ケース７に嵌着させてあり、図１等に示すように、締結手段、例えば取付けビス９によって第２ケース７に取付けてある。図２に示すフェースプレート１５ａの起立部１５ｅの高さＬは、第１ケース５ｅの外部に位置する車椅子用呼び登録装置１６の呼び登録釦１６ｂ，１６ｃ、及び配線ケーブル５ｈ等の要部を収納できる寸法に設定してある。
【００１７】
このように構成した本実施形態は、フェースプレート１５ａが、このフェースプレート１５ａとほぼ同じ長さの剛性を有する第２ケース７に取付けビス９で取付けられ、この第２ケース７が一般用呼び登録装置５の第１ケース５ｅに取付けビス１５ｄで取付けられ、第１ケース５ｅは図２に示すように、乗場壁４に強固に埋設されて安定して固定保持されているので、乗場壁４に対するフェースプレート１５ａの強固な固定を実現できる。
【００１８】
したがって、このフェースプレート１５ａの外力による乗場壁４からの剥がれを防止でき、これに伴う破損を防ぐことができ、優れた耐久性を確保できる。
【００１９】
なお、上述のようにフェースプレート１５ａを第２ケース７に取付け、この第２ケース７を第１ケース５ｅに取付ける構成により、基本的にはフェースプレート１５ａを乗場壁４に対して強固に固定できるが、第２ケース７を乗場壁４に固定する取付けビス８は、さらにフェースプレート１５ａを乗場壁４に強固に固定することに貢献している。
【００２０】
本発明は、新設のエレベータにおいて適用できることはもちろんのこと、一般用呼び登録装置５だけを備えた既設のエレベータに、車椅子用呼び登録装置１６を付加する場合にも好適である。
【００２１】
また、上記実施形態は、フェースプレート１５ａが、かご位置表示器５ｇを備えているが、本発明は、フェースプレート１５ａが、このようなかご位置表示器５ｇを備えない構成とすることもできる。この場合にも上述と同様の効果が得られる。
【図面の簡単な説明】
【００２２】
【図１】本発明のエレベータ呼び登録装置の一実施形態を示す正面図である。
【図２】本発明の一実施形態を示す側断面図である。
【図３】従来のエレベータ呼び登録装置が備えられるエレベータの乗場正面図である。
【図４】図３のＡ−Ａ線に沿う断面図である。
【符号の説明】
【００２３】
４    乗場壁
５    一般用呼び登録装置
５ｅ  第１ケース
５ｆ  配線ケーブル
５ｇ  かご位置表示器
５ｈ  配線ケーブル
７    第２ケース（支持部材）
８    取付けビス
９    取付けビス（締結手段）
１５ａ  フェースプレート
１５ｂ  呼び登録釦
１５ｃ  呼び登録釦
１５ｄ  取付けビス（締結手段）
１５ｅ  起立部
１６    車椅子用呼び登録装置
１６ｂ  呼び登録釦
１６ｃ  呼び登録釦
【図１】
2005075629.tif 000003
【図２】
2005075629.tif 000004
【図３】
2005075629.tif 000005
【図４】
2005075629.tif 000006